(57)【特許請求の範囲】
【請求項１】
人体に装着して用いられ、基布を貼り合わせた袋体よりなる膨張室を備え、圧力流体を前記膨張室に供給して膨張させて前記人体外部からの衝撃を吸収する衝撃吸収ジャケットであって、
前記人体への装着時の左右方向に沿って第１膨張室、第２膨張室、第３膨張室の順で３つの前記膨張室を配設するとともに、第１膨張室と第２膨張室とを連結すると共に、第２膨張室と第３膨張室とを連結することにより、３つの膨張室が繋がった膨張室の連結体を構成し、
前記３つの膨張室のうち前記左右方向に沿った中央側に位置する前記第２膨張室の前記人体側に、人体密着用の第４膨張室を配設するとともに、当該第２膨張室に設けた連通孔と前記第４膨張室に設けた連通孔とを連通させつつ、それら２つの連通孔の周囲部において前記第２膨張室と前記第４膨張室とを連結し、
前記３つの膨張室からなる前記連結体の前記左右方向における両端部と、前記第４膨張室の前記左右方向における両端部とが、一致するように、前記連結体と前記第４膨張室とを連結し、
前記連結体を構成する前記３つの膨張室のうち、前記左右方向に沿った中央側に位置する前記第２膨張室の膨張時の断面積が、前記左右方向に沿った両端側に位置する前記第１膨張室及び前記第３膨張室の膨張時の断面積よりも大きくなり、かつ、前記第４膨張室の断面積が、前記第２膨張室の膨張時の断面積よりも、小さくなるように構成した
ことを特徴とする衝撃吸収ジャケット。
【請求項２】
請求項１記載の衝撃吸収ジャケットにおいて、
前記第１〜第４膨張室のそれぞれは、重ね合わせた前記基布の対面する周縁部にシール剤を塗布してシール部を形成し、前記シール部を縫合糸で縫合することにより、区画形成されている
ことを特徴とする衝撃吸収ジャケット。
【発明の詳細な説明】
【技術分野】
【０００１】
本発明は、人体に装着して用いられ、基布を貼り合わせた袋体よりなる膨張室を備え、圧力流体を前記膨張室に供給して膨張させて前記人体外部からの衝撃を吸収する衝撃吸収ジャケットに関する。
【背景技術】
【０００２】
従来、自動二輪車などに搭乗する人体の拘束用具として、衝突事故などに遭遇した際に人体が着用するジャケットの膨張室に供給される圧力流体により前記膨張室を外部に展開させて人体外部からの衝撃を吸収する衝撃吸収ジャケットが知られている（例えば、特許文献１参照）。
【特許文献１】特開２００２−２０９０７号公報
【発明の開示】
【発明が解決しようとする課題】
【０００３】
上記従来技術の衝撃吸収ジャケットは、衝突時にガスシリンダーから瞬時に供給される圧力流体により膨張室を外部側に展開させ、その展開する膨張室で人体全体の外周部を囲んで拘束するようになっている。
【０００４】
しかしながら、衝撃吸収機能を強化するために展開膨張量を大きくすると、平常時においては人体との膨張室内側との間に隙間が生じて人体側に密着（フィット）しなくなり、人体との位置関係が安定しなくなる恐れがある。逆に平常において予め人体側に密着させようとすると膨張展開量を小さくせざるを得ず、衝撃吸収機能に制約が生じる。
【０００５】
本発明の目的は、衝撃吸収機能を強化しつつ、平常時に隙間を生じず人体に密着できる衝撃吸収ジャケットを提供することにある。
【課題を解決するための手段】
【０００６】
上記目的を達成するために、第１の発明は、人体に装着して用いられ、基布を貼り合わせた袋体よりなる膨張室を備え、圧力流体を前記膨張室に供給して膨張させて前記人体外部からの衝撃を吸収する衝撃吸収ジャケットであって、前記人体への装着時の左右方向に沿って第１膨張室、第２膨張室、第３膨張室の順で３つの前記膨張室を配設するとともに、第１膨張室と第２膨張室とを連結すると共に、第２膨張室と第３膨張室とを連結することにより、３つの膨張室が繋がった膨張室の連結体を構成し、前記３つの膨張室のうち前記左右方向に沿った中央側に位置する前記第２膨張室の前記人体側に、人体密着用の第４膨張室を配設するとともに、当該第２膨張室に設けた連通孔と前記第４膨張室に設けた連通孔とを連通させつつ、それら２つの連通孔の周囲部において前記第２膨張室と前記第４膨張室とを連結し、前記３つの膨張室からなる前記連結体の前記左右方向における両端部と、前記第４膨張室の前記左右方向における両端部とが、一致するように、前記連結体と前記第４膨張室とを連結し、前記連結体を構成する前記３つの膨張室のうち、前記左右方向に沿った中央側に位置する前記第２膨張室の膨張時の断面積が、前記左右方向に沿った両端側に位置する前記第１膨張室及び前記第３膨張室の膨張時の断面積よりも大きくなり、かつ、前記第４膨張室の断面積が、前記第２膨張室の膨張時の断面積よりも、小さくなるように構成したことを特徴とする。
【０００７】
本願第１発明においては、衝突発生時には、インフレ−タから噴出した圧力流体が、第１膨張室、第２膨張室、第３膨張室からなる膨張室の連結体と、第４膨張室とに供給され、各膨張室がそれぞれ膨張する。このようにして、複数の膨張室がそれぞれ個別に膨張する態様となることから、最も内側（人体側）の第４膨張室の膨張量を比較的小さくしてこの第４膨張室が平常時に人体側に密着するようにしても、その外側にある第２膨張室の膨張量を適宜設定する（例えば比較的大きくする）ことによって、第２膨張室と第４膨張室とを合わせた全体として大きな膨張量を確保して衝撃吸収力を増大させることができる。この結果、平常時には人体に密着させつつ、膨張展開時に大きな衝撃吸収機能を得ることができる。
【００１１】
また、第２膨張室と第４膨張室とが連通孔を介して連通していることにより、衝撃発生時に供給される圧力流体を、連通孔を通して第２膨張室及び第４膨張室に行き渡らせ、各膨張室に膨張力を円滑に作用させることができる。
【００１７】
また、人体側にある密着用の第４膨張室の断面積が、その外側にある第２膨張室の膨張時の断面積よりも、小さくなるように構成したことにより、内側の第４膨張室の膨張量は比較的小さくなって平常時に人体側に密着させることができるとともに、外側の第２膨張室の膨張量は比較的大きくなることから全体として大きな膨張量を確保し衝撃吸収力を増大させることができる。また、衝撃発生時において、断面積の小さい内側（人体側）の第４膨張室が先に膨張してから外側の大きい第２膨張室が膨張することとなるので、内側の第４膨張室が先に人体側に密着し人体が拘束された状態で、時間差をもって外側の第２膨張室が大きく膨張して衝撃力を吸収することができる。
第２の発明は、上記第１発明において、前記第１〜第４膨張室のそれぞれは、重ね合わせた前記基布の対面する周縁部にシール剤を塗布してシール部を形成し、前記シール部を縫合糸で縫合することにより、区画形成されていることを特徴とする。
【発明の効果】
【００１８】
本発明によれば、衝撃吸収機能を強化しつつ、平常時に隙間を生じず人体に密着させることができる。
【発明を実施するための最良の形態】
【００１９】
以下、本発明の一実施の形態を図面を参照しつつ説明する。
【００２０】
図１は、本実施形態による衝撃吸収ジャケットを人体に装着した状態を示す正面図、図２は衝撃吸収ジャケットを人体に装着した状態を示す平面図、図３は衝撃吸収ジャケットを人体に装着した状態を示す側面図であり、図４は衝撃吸収ジャケットを人体に装着した状態を示す上面図である。
【００２１】
これら図１〜図４において、衝撃吸収ジャケット１は、例えば図示しない自動二輪車（以下適宜「バイク」という）に搭乗する人体（搭乗者）Ｍに装着して使用されるものであって、人体Ｍが着用する上着（例えばスーツなど）の外側に装着するアウタータイプと、上着の内側に装着するインナータイプがある。
【００２２】
この衝撃吸収ジャケット１は、２枚の基布を貼り合わせて（＝接着、溶着、縫合によるものを含む）重ね合わせ、それらが対面する周縁部に、シール剤を塗布したシール部Ｓ（後述の図８、図９等参照）を縫合糸Ｈで縫合した縫着部Ｔ（後述のＴ１，Ｔ２，Ｔ３等も含む。なお、接着部や溶着部としてもよい。以下同様）を有している。この縫着部Ｔで人体の腹部、背中部、左脇腹部、右脇腹部にそれぞれ対応するように複数の袋状の膨張室を区画形成しており、各膨張室どうしは図示しない連通孔を介して内部で連通している。
【００２３】
すなわち、前記衝撃吸収ジャケット１は、人体正面の腹部に対応する腹部膨張室２と、背中部に対応する背中部膨張室４と、人体の左脇腹部に対応する左脇腹部膨張室７ａと、右脇腹部に対応する右脇腹部膨張室７ｂと、両肩部に対応する両肩部膨張室５ａ，５ｂと、
前記各膨張室を膨張展開させるために圧力流体（ガス）を噴出すべく前記背中部膨張室４の下方に設けたインフレータＦを有している。
【００２４】
前記両脇腹部膨張室７ａ，７ｂの上方には、左右の両腕を通す一対の腕部開口８が形成されるとともに左右両肩部膨張室５ａ，５ｂの中央には首部を通すための首部開口１０が形成されている。
【００２５】
前記腹部膨張室２は、外側膨張室２ａと人体側に面する内側膨張室２ｂとからなる２重構造の膨張室で構成され、互いに重ね合わされる前記外側膨張室２ａと内側膨張室２ｂの間は、略中央領域に設けられた後述する連通孔１２ａ，１２ｂにより密封状態で連通接続されている。
【００２６】
前記外側膨張室２ａの両側には、縦長の左胸部膨張室６ａと右胸部膨張室６ｂが設けられ、これら左胸部膨張室６ａと右胸部膨張室６ｂは上記縫着部Ｔによりそれぞれ区画されており、縫着部Ｔには圧力流体を流通するための連通孔（図示せず）が形成されている。
【００２７】
前記腹部膨張室２の内側膨張室２ｂと背中部膨張室４は、前記両腕部開口８の上部側が左右両肩部膨張室５ａ，５ｂにより連結されると共に、両腕部開口８の下部側が所定幅の横長帯状に形成された左脇腹部膨張室７ａ及び右脇腹部膨張室７ｂによりそれぞれ連結されており、前記両肩部膨張室５ａ，５ｂの間には前記首部開口１０が形成されている。尚、右脇腹部膨張室７ｂの一端は、前記内側膨張室２ｂの片側端縁から分離されており、図示しないファスナーまたは適宜のテープなどで着脱可能となっている。
【００２８】
次に、衝撃吸収ジャケットにおける腹部膨張室の非膨張時における態様、ないし膨張時における動作態様につき説明する。図５は衝撃吸収ジャケットを人体に装着した状態を示し非膨張時における衝撃吸収ジャケットの斜視図、図６は図５のＡ−Ａ断面図、図７は衝撃吸収ジャケットを人体に装着した状態を示し膨張時における衝撃吸収ジャケットの斜視図、図８は図７のＢ−Ｂ断面図である。
【００２９】
図５に示すように、衝撃吸収ジャケット１が平常時における非膨張状態の場合では、２重構造となる腹部膨張室２は、図６のように外側膨張室２ａと人体側に面する内側膨張室２ｂとを互いに重ね合わせた平坦状とされている。
【００３０】
前記腹部膨張室２は、図６に示すように、一対の基布Ｂ１とＢ２及びＢ３とＢ４をそれぞれ貼り合わせ２つの膨張室２ａ，２ｂを構成してなる２重構造である。
【００３１】
外側膨張室２ａは、外側の基布Ｂ１と内側の基布Ｂ２の内側領域の両側縁対面には上述のようにして構成した縫着部Ｔ１によって囲まれた袋体として構成されている。このとき、縫着部Ｔ１で区画された外側膨張室２ａの両外側には、対面にシール剤を塗布したシール部Ｓを介して外側縁部を縫合糸Ｈで縫合した縫着部Ｔ２で囲まれた左胸部膨張室６ａと右胸部膨張室６ｂが袋体として形成されている。これら左胸部膨張室６ａと右胸部膨張室６ｂは、背中部膨張室４と、両肩部膨張室５ａ，５ｂ及び左脇腹部膨張室７ａを介して圧力流体が連通可能とされている。一方、人体側に面する内側膨張室２ｂは、人体側に面する内側の基布Ｂ４とその外側に配設される基布Ｂ３の外周縁どうしが、シール剤を塗布したシール部Ｓを介して縫合糸Ｈで縫合した両縫着部Ｔ３で囲まれた袋体として構成されている。
【００３２】
そして、前記外側膨張室２ａの内側に配設される基布Ｂ２と、この基布Ｂ２と対面するように内側膨張室２ｂの外側に配設される基布Ｂ３とは、互いに中央領域に形成される連通孔１２ａ，１２ｂを介して連通しており、これら連通孔１２ａ，１２ｂは、その周縁対面にシール剤塗布したシール部Ｓを介して縫合糸Ｈで環状に縫合された環状縫着部Ｔｏにより、密封状態で接合されている。また左胸部膨張室６ａ及び右胸部膨張室６ｂの両外側周縁と、内側膨張室２ｂの外側周縁どうしは、縫合糸Ｈで縫合されている。
【００３３】
例えばバイクが衝突した際などには、バイク側または人体側の衝撃吸収ジャケット１に備えた加速度検知装置（図示せず）が作動して、この検知装置から出力された検出信号により制御装置から点火指令信号が出力されてインフレ−タＦが作動するようになっている。この点火指令信号により、前記インフレ−タＦから噴出した圧力流体は、背中部膨張室４を膨張させたのち前記背中部膨張室４から左脇腹部膨張室７ａ、右脇腹部膨張室７ｂを通して腹部膨張室２を構成する図８に示す人体側を膨張し、次いで内側膨張室２ｂから連通孔１２ａ，１２ｂを通して前記外側膨張室２ａを膨張させる。一方、前記背中部膨張室４を膨張させた圧力流体は、前記左右両肩部膨張室５ａ，５ｂをも膨張させる。
【００３４】
図７はこのようにして衝撃吸収ジャケット１が膨張した状態を表し、図８はその横断面図をあらわしている。図示のように、膨張時において、２重構造となる腹部膨張室２を構成する外側膨張室２ａは、人体側の内側膨張室２ｂの断面積より大きく形成されている。
【００３５】
次に、前記腹部膨張室２を縫製する手順の一例に付き図９（ａ）〜図９（ｃ）により説明する。
【００３６】
まず、図９（ａ）に示すように、（外側膨張室２ａの内側の基布となる）基布Ｂ２と（内側膨張室２ｂの外側の基布となる）基布Ｂ３とは、ぞれぞれの基布Ｂ２と基布Ｂ３の略中央に形成される連通孔１２ａ，１２ｂを整合させた状態で、両連通孔１２ａ，１２ｂの周囲がシール剤を塗布したシール部Ｓを介して縫合糸Ｈで環状に縫合された環状縫着部Ｔｏで接合される。
【００３７】
次に、図９（ｂ）は、シール剤を塗布したシール部を介して基布Ｂ１，Ｂ２，Ｂ３，Ｂ４の外側を貼り合わせた状態を表している。まず、連通孔１２ａ，１２ｂの周囲で上記環状縫着部Ｔｏにより基布Ｂ３に接合した基布Ｂ２に、（外側膨張室２ａの外側の基布となる）基布Ｂ１を対面させた状態で、基布Ｂ１，Ｂ２の内側領域の外周をシール部Ｓで貼着することで外側膨張室２ａを袋体として構成する。このとき、外側膨張室２ａの両側には、シール部Ｓの貼着によりそれらシール部Ｓに囲まれた左胸部膨張室６ａと右胸部膨張室６ｂが袋体として構成される。
【００３８】
一方、連通孔１２ａ，１２ｂの周囲で環状縫着部Ｔｏにより基布Ｂ２に接合した基布Ｂ３に、（内側膨張室２ｂの内側の基布となる）基布Ｂ４を対面させた状態で、基布Ｂ３と基布Ｂ４の両側をシール部Ｓで貼着することで、内側膨張室２ｂが袋体として構成される。
【００３９】
その後、図９（ｃ）に示すように、上記の各シール部Ｓを縫合糸Ｈで縫合することにより、縫着部Ｔ１，Ｔ２，Ｔ３を形成し、さらに縫着部Ｔ２，Ｔ３よりさらに外縁側においてすべての基布Ｔ１，Ｔ２，Ｔ３，Ｔ４を串刺しとするように縫合糸Ｈで縫合することにより、
以上のように構成した本実施形態の衝撃吸収ジャケット１は、衝突発生時において、前述のようにしてインフレータＦからの圧力流体によって人体Ｍの各部に対応する位置の各膨張室２，４，５（５ａ，５ｂ），７を膨張させ、外部から人体Ｍが直接受ける衝撃を吸収することができる。
【００４０】
このとき、腹部膨張室２が、外側膨張室２ａと内側膨張室２ｂとの衝撃吸収方向に略重なる多重（この例では二重）構造となっており、膨張展開時には、インフレ−タＦから噴出した圧力流体によって外側膨張室２ａと内側膨張室２ｂとの両方が膨張する。このように複数の膨張室２ａ，２ｂがそれぞれ個別に膨張する態様となることから、内側膨張室２ｂの膨張量を比較的小さくして平常時に人体Ｍ側に密着するようにしても（図５、図６等参照）、残りの外側膨張室２ａの膨張量を適宜設定する（例えば比較的大きくする）ことによって、全体として、それら膨張室２ａ，２ｂの各膨張量を合わせた大きな膨張量を確保して衝撃吸収力を増大させることができる（図７、図８等参照）。この結果、平常時には人体Ｍに密着させつつ、膨張展開時に大きな衝撃吸収機能を得ることができる。
【００４１】
特に、外側膨張室２ａの膨張時断面積が内側膨張室２ｂの膨張時断面積よりも大きくなっていることにより、内側膨張室２ｂの膨張量は比較的小さくなって平常時に人体Ｍ側に密着させることができるとともに、外側膨張室２ａの膨張量は比較的大きくなることから全体として大きな膨張量を確保し衝撃吸収力を増大させることができる。また、衝撃発生時において、断面積の小さい内側膨張室２ｂが先に膨張してから外側膨張室２ａが膨張することとなるので、内側膨張室２ｂが先に人体Ｍ側に密着し人体Ｍが拘束された状態で、時間差をもって外側膨張室２ａが大きく膨張して衝撃力を吸収することができる。
このとき、内側膨張室２ｂの膨張時に人体Ｍ側に密着（フィット）するので、人体Ｍに多少の体格差があっても対応する人体Ｍの部位を適切に拘束できる効果もある。
【００４２】
またこのとき、腹部膨張室２の外側膨張室２ａと内側膨張室２ｂどうしが連通していることにより、衝撃発生時に供給される圧力流体を二重構造の各膨張室２ａ，２ｂに行き渡らせ、各膨張室２ａ，２ｂに膨張力を円滑に作用させることができる。
【００４３】
なお、以上においては腹部膨張室２を外側膨張室２ａと内側膨張室の２重構造にしたが、これに限られず、３重以上の多重構造としてもよい。また、このように多重構造とするのは腹部膨張室２に限られず、背中部膨張室４、左脇腹部膨張室７ａ、右脇腹部膨張室７ｂ、両肩部膨張室５ａ，５ｂのいずれかを多重構造としてもよい。また、それらのうちの複数箇所を多重構造としてもよい。
【００４４】
また、更に各膨張室の膨張時の断面形状は略円形に限られず、適宜人体Ｍの体格に合わせた形状に構成することもできる。
【図面の簡単な説明】
【００４５】
【図１】本発明の一実施形態による衝撃吸収ジャケットを人体に装着した状態を示す正面図である。
【図２】衝撃吸収ジャケットを人体に装着した状態を示す平面図である。
【図３】衝撃吸収ジャケットを人体に装着した状態を示す側面図である。
【図４】衝撃吸収ジャケットを人体に装着した状態を示す上面図である。
【図５】衝撃吸収ジャケットを人体に装着した状態を示し非膨張時における衝撃吸収ジャケットの斜視図である。
【図６】図５のＡ−Ａ断面図である。
【図７】衝撃吸収ジャケットを人体に装着した状態を示し膨張時における衝撃吸収ジャケットの斜視図である。
【図８】図７のＢ−Ｂ断面図である。
【図９】腹部膨張室を縫製する手順の一例を表す工程説明図である。
【符号の説明】
【００４６】
１              衝撃吸収ジャケット
２              腹部膨張室
２ａ            外側膨張室
２ｂ            内側膨張室
４              背中部膨張室
６ａ            左胸部膨張室
６ｂ            右胸部膨張室
７ａ            左脇腹部膨張室
７ｂ            右脇腹部膨張室
１２ａ，１２ｂ  連通孔
Ｂ１〜Ｂ４    基布
Ｆ              インフレータ
Ｈ              縫合糸
Ｍ              人体
Ｓ              シール部
Ｔ              縫着部
【図１】
0004711883.tif 000002
【図２】
0004711883.tif 000003
【図３】
0004711883.tif 000004
【図４】
0004711883.tif 000005
【図５】
0004711883.tif 000006
【図６】
0004711883.tif 000007
【図７】
0004711883.tif 000008
【図８】
0004711883.tif 000009
【図９】
0004711883.tif 000010